(57)【特許請求の範囲】
【請求項１】
親機および子機の双方のモードとして動作するデュアルモードの通信装置であって、
親機端末が提供する第１の無線ネットワークに参加している子機端末から、前記通信装置が親機として提供する第２の無線ネットワークへの接続要求が通知された場合に、前記第１の無線ネットワークへ参加するために必要なネットワーク接続情報を前記子機端末から取得する情報取得部と、
前記情報取得部が取得したネットワーク接続情報を使用して、少なくとも前記通信装置と前記親機端末と前記子機端末とが参加する第３の無線ネットワークを再構築するネットワーク構築部とを備えることを特徴とする通信装置。
【請求項２】
前記親機端末は、移動通信端末であり、
再構築された前記第３の無線ネットワークは、前記親機端末と前記子機端末との通信を前記通信装置が中継する構成であることを特徴とする請求項１記載の通信装置。
【請求項３】
前記通信装置は、車載装置であり、再構築された前記第３の無線ネットワークで使用する周波数帯域または通信タイミングを管理して電波干渉を抑制する無線ネットワーク管理部を備えることを特徴とする請求項１記載の通信装置。
【請求項４】
前記情報取得部は、近接場型の無線通信により、前記子機端末からの接続要求とネットワーク接続情報とを受信することを特徴とする請求項１記載の通信装置。
【請求項５】
前記ネットワーク構築部は、前記親機端末が提供する前記第１の無線ネットワークに複数台の子機端末が参加している場合に、前記複数台の子機端末のうちの１台から取得したネットワーク接続情報を使用して、前記通信装置と前記親機端末と前記複数台の子機端末とが参加する第３の無線ネットワークを再構築することを特徴とする請求項１記載の通信装置。
【請求項６】
親機および子機の双方のモードとして動作するデュアルモードの通信装置と、親機端末と、子機端末とを含む通信システムであって、
前記通信装置は、
前記親機端末が提供する第１の無線ネットワークに参加している前記子機端末から、前記通信装置が親機として提供する第２の無線ネットワークへの接続要求が通知された場合に、前記第１の無線ネットワークへ参加するために必要なネットワーク接続情報を前記子機端末から取得する情報取得部と、
前記情報取得部が受信したネットワーク接続情報を使用して、少なくとも前記通信装置と前記親機端末と前記子機端末とが参加する第３の無線ネットワークを再構築するネットワーク構築部とを備えることを特徴とする通信システム。
【請求項７】
前記子機端末は、前記第２の無線ネットワークへの接続要求を前記通信装置へ通知したことをトリガにして、無線ネットワーク再構築用のアプリケーションプログラムを外部から取得し、当該アプリケーションプログラムに従って動作することにより前記第１の無線ネットワークへ参加したときに使用したネットワーク接続情報を前記通信装置へ通知することを特徴とする請求項６記載の通信システム。
【請求項８】
前記子機端末は、
前記第１のネットワークへ参加したときに使用したネットワーク接続情報を記憶する記憶部を備え、
再構築された前記第３の無線ネットワークへの接続が切断された場合に、前記記憶部に記憶されているネットワーク接続情報を使用して前記第１のネットワークに参加しなおすことを特徴とする請求項６記載の通信システム。
【発明の詳細な説明】
【技術分野】
【０００１】
この発明は、親機および子機の双方のモードとして動作するデュアルモード用の通信装置、およびこの通信装置を用いた通信システムに関するものである。
【背景技術】
【０００２】
車両等の移動体に搭載されるヘッドユニット（以下、ＨＵ）は、無線ＬＡＮ（Ｌｏｃａｌ  Ａｒｅａ  Ｎｅｔｗｏｒｋ）の親機（ＡＰ；Ａｃｃｅｓｓ  Ｐｏｉｎｔ）としての機能と、子機（ＳＴＡ；Ｓｔａｔｉｏｎ）としての機能の双方を持つデュアルモード端末である。このＨＵが親機として動作することによって、ＤＶＤ（Ｄｉｇｉｔａｌ  Ｖｅｒｓａｔｉｌｅ  Ｄｉｓｃ）等の動画を無線通信により子機端末へ送信して子機端末上で再生するといったサービスを提供する。【０００３】
ここで、ＨＵが存在する車内に、移動通信端末（親機）とタブレット端末（子機）とが持ち込まれた場合を想定する。その場合、ＨＵのネットワークと、移動通信端末およびタブレット端末が無線ＬＡＮ接続して構築しているネットワークとが独立しているため、タブレット端末はＨＵのサービスと移動通信端末のサービス（インターネット等）の両方を同時に受けることができない。【０００４】
タブレット端末がＨＵと移動通信端末のサービスを同時に受けられるようにするには、タブレット端末とＨＵと移動通信端末とを無線ＬＡＮで接続する必要がある。しかし、それを実現するには、（１）、（２）のような課題がある。【０００５】
（１）まず、親機のＳＳＩＤ（Ｓｅｒｖｉｃｅ  Ｓｅｔ  Ｉｄｅｎｔｉｆｉｅｒ）およびパスフレーズ等のネットワーク接続情報を、子機に入力しなければならず、ユーザにとって煩わしさがある。
今回の場合では、ユーザが、親機となる移動通信端末またはＨＵのネットワーク接続情報を、子機であるタブレット端末またはＨＵに入力しなければならない。また、ユーザは、複数のネットワーク接続情報を覚えておかなければならない。このように、ネットワーク接続情報の入力は、ユーザにとって負担が大きい。【０００６】
（２）次に、タブレット端末がＨＵと移動通信端末のサービスを同時に受けられ、かつ、移動通信端末に負担が掛からないネットワーク構成にする必要がある。
移動通信端末を親機としたネットワークにＨＵとタブレット端末が参加した場合、タブレット端末がＨＵからのサービスを受けるときも移動通信端末を経由する必要があり、移動通信端末は常時動作することとなる。これによって、移動通信端末の電力消費増加および通信速度低下が起きる。【０００７】
特許文献１では、２つのネットワークがあることを前提としている。第１のネットワークは、親機モードとして動作する親機端末と、親機モードと子機モードの双方として動作するデュアルモード端末で構成されている。第２のネットワークは、デュアルモード端末同士で構成されている。それらに加えて、親機端末とＬＡＮケーブルで接続している管理装置がある。管理装置は、各端末のネットワーク接続情報の記憶およびネットワーク構成の管理を行う。
第１のネットワークに属しているデュアルモード端末の一つが第２のネットワークに接続先を変更したい場合、そのデュアルモード端末から管理装置に指示することによって、最適な第２のネットワークを再構築することができる。【０００８】
しかし、管理装置は、事前に記憶していた各端末のネットワーク接続情報を用いてネットワークを再構築するため、管理装置が把握していないネットワークおよび端末がある場合には再構築が行えない。そのため、ユーザがネットワーク接続情報を用いて手動でネットワークを再構築する必要があり、上記（１）の課題を解決できない。【０００９】
特許文献２では、親機モードとして動作する親機端末と、子機モードとして動作する子機端末とが接続しているネットワークに、子機モードとして動作するプリンタを参加させる際、ネットワークの再構築時のみプリンタを親機モードとして動作させる。
上記特許文献２では、ネットワークの再構築時のみプリンタを親機モードとして動作させたが、特許文献３では、プリンタを常時親機モードとして動作させる。【００１０】
従来であれば親機端末と子機端末とプリンタの無線ＬＡＮの設定を、ユーザが手順に沿って変更する必要があった。これに対し、特許文献２，３では、ユーザが子機端末とプリンタの接続先変更を指示すると、プリンタが親機モードとして動作して子機端末からネットワーク接続情報を受信し、その情報を使用して親機端末のネットワークに参加することができる。これにより、従来の設定手順よりも簡単にネットワークを再構築できるようになり、ユーザの操作負担を減らすことができる。【００１１】
しかし、ユーザは、プリンタと子機端末の接続先変更を指示したり、子機端末に対してプリンタのネットワーク接続情報を入力したりする必要があり、上記（１）の課題を完全には解決できない。【００１２】
また、親機端末のネットワークにプリンタと子機端末が参加するため、親機端末は常時動作することとなる。特許文献３では親機端末として据え置き型のホームルータを使用することを想定しているが、電池で動作するモバイルルータを使用した場合には、上記（２）の電力消費等が課題となる。
【先行技術文献】
【特許文献】
【００１３】
【特許文献１】特開２０１３−２１４９７８号公報
【特許文献２】特開２００３−１４３１５６号公報
【特許文献３】特開２００７−２２１８０８号公報
【発明の概要】
【発明が解決しようとする課題】
【００１４】
上述したように、従来の通信システムでは、ネットワークを再構築する際のユーザの操作負担が大きく、設定が煩わしいという課題があった。【００１５】
この発明は、上記のような課題を解決するためになされたもので、ネットワークを再構築する際の設定の煩わしさを低減することを目的とする。
【課題を解決するための手段】
【００１６】
この発明に係る通信装置は、親機および子機の双方のモードとして動作するデュアルモードの通信装置であって、親機端末が提供する第１の無線ネットワークに参加している子機端末から、通信装置が親機として提供する第２の無線ネットワークへの接続要求が通知された場合に、第１の無線ネットワークへ参加するために必要なネットワーク接続情報を子機端末から取得する情報取得部と、情報取得部が取得したネットワーク接続情報を使用して、少なくとも通信装置と親機端末と子機端末とが参加する第３の無線ネットワークを再構築するネットワーク構築部とを備えるものである。
【発明の効果】
【００１７】
この発明によれば、通信装置は、子機端末から接続要求が通知された場合に、子機端末からネットワーク接続情報を取得して無線ネットワークを再構築するようにしたので、ネットワークを再構築する際のユーザの操作負担を減らして設定の煩わしさを低減することができる。
【図面の簡単な説明】
【００１８】
【図１】この発明の実施の形態１に係る通信システムを用いたネットワーク構築例を示す図である。
【図２】実施の形態１の理解を助けるための参考例として、ネットワーク構築例を示す図である。
【図３】実施の形態１に係る通信装置の内部構成を示すブロック図である。
【図４】実施の形態１に係る通信装置と無線ＬＡＮ接続する子機端末の内部構成を示すブロック図である。
【図５】実施の形態１の通信装置による、ネットワーク再構築時の動作を示すフローチャートである。
【図６】実施の形態１の子機端末による、ネットワーク再構築時の動作を示すフローチャートである。
【図７】実施の形態１の親機端末による、ネットワーク再構築時の動作を示すフローチャートである。
【図８】実施の形態１の通信装置による、再構築したネットワークを元に戻す時の動作を示すフローチャートである。
【図９】実施の形態１の子機端末による、再構築したネットワークを元に戻す時の動作を示すフローチャートである。
【図１０】実施の形態１の親機端末による、再構築したネットワークを元に戻す時の動作を示すフローチャートである。
【図１１】この発明の実施の形態２に係る通信システムを用いたネットワーク構築例を示す図である。
【発明を実施するための形態】
【００１９】
以下、この発明をより詳細に説明するために、この発明を実施するための形態について、添付の図面に従って説明する。
実施の形態１．
まず、図１を用いて、実施の形態１に係る通信システムを用いたネットワーク構築例の概要を説明する。図１の例では、実施の形態１に係る通信装置であるＨＵ１０が、車内に設置されている。ＨＵ１０は、親機および子機の双方のモードとして動作するデュアルモード用の通信装置の一例である。タブレット端末２０は、子機モードとして動作する子機端末の一例である。移動通信端末３０は、親機モードとして動作する親機端末の一例である。
【００２０】
以下では、子機端末から親機端末を指す黒い矢印により、無線ＬＡＮ接続を表現する。また、端末同士を指す白い矢印により、近接場型無線通信（例えば、ＮＦＣ；Ｎｅａｒ  Ｆｉｅｌｄ  Ｃｏｍｍｕｎｉｃａｔｉｏｎ）を表現する。
【００２１】
図１（ａ）では、ＨＵ１０のネットワークＡが存在する車内に、移動通信端末３０とタブレット端末２０とが無線ＬＡＮ接続したネットワークＢが持ち込まれた状況を想定する。
この状況下では、タブレット端末２０は、移動通信端末３０が提供するサービス（インターネット等）を受けることができる。一方、ＨＵ１０とは無線ＬＡＮで接続されていないので、タブレット端末２０はＨＵ１０が提供するサービス（動画を無線通信によりタブレット端末２０へ送信してタブレット端末２０上で再生する等）を受けることができない。タブレット端末２０が、移動通信端末３０とＨＵ１０の両方のサービスを受けるためには、ネットワークを再構築する必要がある。
【００２２】
図１（ｂ）では、ユーザが、タブレット端末２０の近接場型無線部をＨＵ１０の近接場型無線部にかざすことにより、タブレット端末２０とＨＵ１０とで近接場型無線通信を行わせる。これには、以下のようなメリットがある。
（１）「かざす」というユーザの動作自体が、ユーザのネットワーク再構築の意思確認となり、意思確認をより簡単に行うことが可能となる。
（２）ネットワークを再構成するためのネットワーク接続情報を、ＨＵ１０とタブレット端末２０の間で送受信することができる。
【００２３】
なお、従来技術では、ネットワークを再構成するためのネットワーク接続情報の一つである「移動通信端末３０のネットワーク接続情報」を、タブレット端末２０からＨＵ１０へ送信する技術が無かった。それに対し、実施の形態１では、タブレット端末２０において、「移動通信端末３０のネットワーク接続情報」を取得するアプリケーションと、取得した「移動通信端末３０のネットワーク接続情報」をＨＵ１０へ送信すると共に「ＨＵ１０のネットワーク接続情報」を受信する近接場型無線通信機能とを用意することで可能となる。それによって、ネットワークを再構築するためのネットワーク接続情報を、ユーザがＨＵ１０およびタブレット端末２０に入力する操作が不要になる。
【００２４】
図１（ｃ）は、再構築したネットワークＣを示す。このネットワークＣでは、ＨＵ１０が移動通信端末３０とタブレット端末２０の中継機として働き、移動通信端末３０が親機となりＨＵ１０が子機となって無線ＬＡＮ接続が確立すると共に、ＨＵ１０が親機となりタブレット端末２０が子機となって無線ＬＡＮ接続が確立する。ネットワークＣでは、移動通信端末３０、ＨＵ１０、タブレット端末２０の順、またはタブレット端末２０、ＨＵ１０、移動通信端末３０の順で、データが転送される。
【００２５】
ネットワークＣの構成は、以下のようなメリットがある。
（１）タブレット端末２０は、移動通信端末３０とＨＵ１０と無線ＬＡＮで接続されているため、両方のサービスを同時に受けることができる。
（２）図２のような、移動通信端末３０が親機となりＨＵ１０とタブレット端末２０が子機となってネットワークＤが構成された場合に比べると、図１（ｃ）のネットワークＣは移動通信端末３０が送受信するデータ量を減らすことができる。また、移動通信端末３０の電力消費増加および通信速度低下を抑制することができる。
【００２６】
図２のネットワークＤの場合、移動通信端末３０とＨＵ１０との間、および移動通信端末３０とタブレット端末２０との間のそれぞれで、データが送受信される。従って、タブレット端末２０がＨＵ１０からのサービスを受ける場合に移動通信端末３０を経由する必要があり、移動通信端末３０は常時動作することとなる。これによって、移動通信端末３０の電力消費および通信速度低下が起きる。
一方、図１（ｃ）のネットワークＣの場合、タブレット端末２０がＨＵ１０からのサービスを受ける場合に移動通信端末３０を経由する必要がなく、移動通信端末３０はタブレット端末２０へサービスを提供するときだけデータを送受信する。そのため、移動通信端末３０の電力消費および通信速度低下を抑制することができる。
【００２７】
次に、実施の形態１のＨＵ１０、タブレット端末２０、移動通信端末３０を詳細に説明する。
【００２８】
図３は、ＨＵ１０の内部構成を示すブロック図である。ＨＵ１０は、制御部１１、ＡＰ動作部１２、ＳＴＡ動作部１３、無線ＬＡＮ管理部１４、近接場型無線部１５、記憶部１６、ネットワーク構築部１７、メディアプレイヤ１８および入力部１９を含む。
なお、無線ＬＡＮ管理部１４は「無線ネットワーク管理部」に相当し、近接場型無線部１５は「情報取得部」に相当する。
【００２９】
図４は、タブレット端末２０の内部構成を示すブロック図である。タブレット端末２０は、制御部２１、ＳＴＡ動作部２２、記憶部２３、近接場型無線部２４、アプリ実行部２５、入力部２６および表示部２７を含む。
【００３０】
ＨＵ１０は、以下の特徴を持つ。
（１）ＨＵ１０は、ＨＵ１０の親機モードのネットワーク接続情報を、タブレット端末２０に送信する。
（２）ＨＵ１０は、移動通信端末３０のネットワーク接続情報を、タブレット端末２０から受信する。
（３）ＨＵ１０は、タブレット端末２０から受信した移動通信端末３０のネットワーク接続情報を使用して、移動通信端末３０と無線ＬＡＮ接続する。
（４）ＨＵ１０は、タブレット端末２０に実行させる再構築アプリケーションプログラムが存在するインターネット上のＵＲＬを記憶している。
（５）ＨＵ１０は、車内の無線状況（チャネル等）の管理を行い、無線ＬＡＮの電波干渉を低減する。
【００３１】
制御部１１は、ＣＰＵ（Ｃｅｎｔｒａｌ  Ｐｒｏｃｅｓｓｉｎｇ  Ｕｎｉｔ）等により構成されるユニットであり、ＨＵ１０の各ユニットを制御する。
【００３２】
ＡＰ動作部１２およびＳＴＡ動作部１３は、ＨＵ１０が移動通信端末３０とタブレット端末２０の無線ＬＡＮ中継機として働くためのユニットである。ＡＰ動作部１２は、子機端末であるタブレット端末２０との無線ＬＡＮ接続および通信時に、親機（ＡＰ）として動作する。ＳＴＡ動作部１３は、親機端末である移動通信端末３０との無線ＬＡＮ接続および通信時に、子機（ＳＴＡ）として動作する。
【００３３】
無線ＬＡＮ管理部１４は、車内で使用されている無線通信機器のチャネル等を管理するユニットである。この無線ＬＡＮ管理部１４は、アンテナの電波強度を監視して、通信障害の原因となる無線ＬＡＮの電波干渉が起きないように、ＡＰ動作部１２およびＳＴＡ動作部１３に対して適切なチャネル（周波数帯域）および時間（通信タイミング）の少なくとも一方を割り当てる。
【００３４】
ここで、無線ＬＡＮ管理部１４の動作の一例を説明する。
無線ＬＡＮ管理部１４は、まず、ＨＵ１０のアンテナ、ＡＰ動作部１２およびＳＴＡ動作部１３を通じて、車内にある通信機器のチャネル情報をスキャンする。続いて無線ＬＡＮ管理部１４は、スキャンしたチャネル情報を基に、無線干渉が起きないチャネルをいくつか候補として選択しておき、移動通信端末３０とＳＴＡ動作部１３との無線ＬＡＮ通信に候補チャネルの一つを使用する。また、無線ＬＡＮ管理部１４は、残りの候補チャネルの中から、タブレット端末２０とＡＰ動作部１２との無線ＬＡＮ通信に使用するチャネルを選択してチャネル情報を生成し、後述する近接場型無線部１５を通じてタブレット端末２０へ通知する。
【００３５】
近接場型無線部１５は、タブレット端末２０の近接場型無線部２４との間で近接場型の無線通信を行うためのユニットである。近接場型の無線通信には、ＮＦＣ、赤外線、Ｂｌｕｅｔｏｏｔｈ（登録商標）等が使用される。
この近接場型無線部１５は、タブレット端末２０との距離が離れすぎると通信できない。例えばＮＦＣの場合１０ｃｍ以上離れると通信困難になる。そのため、ユーザがタブレット端末２０をＨＵ１０の近接場型無線部１５に近づける必要がある。よって、この「近づける」というユーザの動作が、ネットワークの再構築の意思確認となり、ボタン等による意思確認の入力操作を無くすことができる。
制御部１１は、ユーザによりタブレット端末２０がＨＵ１０に近づけられたことで近接場型無線部１５がタブレット端末２０を検出して近接場型無線通信を開始した場合に、これをタブレット端末２０からの接続要求とみなして、ネットワーク構築部１７に対してネットワーク再構築を指示する。
【００３６】
近接場型無線部１５は、記憶部１６に記憶されている再構築アプリケーションプログラムが存在するインターネット上のＵＲＬ、および記憶部１６に記憶されているＨＵ１０のネットワーク接続情報（ＡＰ動作部１２のＳＳＩＤ等）を、タブレット端末２０へ送信可能である。また、近接場型無線部１５は、移動通信端末３０のネットワーク接続情報（ＳＳＩＤ等）を、タブレット端末２０から受信可能である。
【００３７】
例えばＮＦＣの場合、ユーザが再構築アプリケーションを起動した状態のタブレット端末２０をＨＵ１０の近接場型無線部１５にかざすと、ＨＵ１０の近接場型無線部１５が、タブレット端末２０の近接場型無線部２４から移動通信端末３０のネットワーク接続情報を受信すると共に、タブレット端末２０の近接場型無線部２４へＨＵ１０のネットワーク接続情報を送信する。
【００３８】
また、例えば赤外線の場合、ユーザが再構築アプリケーションを起動した状態のタブレット端末２０をＨＵ１０の近接場型無線部１５に向けると、ＨＵ１０の近接場型無線部１５が、タブレット端末２０の近接場型無線部２４から移動通信端末３０のネットワーク接続情報を受信すると共に、タブレット端末２０の近接場型無線部２４へＨＵ１０のネットワーク接続情報を送信する。
【００３９】
また、例えばＢｌｕｅｔｏｏｔｈ（登録商標）の場合、ユーザが再構築アプリケーションを起動した状態のタブレット端末２０を車内に持ち込むと（つまり、無線通信圏内に入ると）、あるいはユーザが車内でタブレット端末２０の再構築アプリケーションを起動すると、タブレット端末２０の近接場型無線部２４とＨＵ１０の近接場型無線部１５との間で無線通信が始まる。その状態で、ＨＵ１０の近接場型無線部１５が、タブレット端末２０の近接場型無線部２４から移動通信端末３０のネットワーク接続情報を受信すると共に、タブレット端末２０の近接場型無線部２４へＨＵ１０のネットワーク接続情報を送信する。
【００４０】
記憶部１６は、ハードディスクドライブ（ＨＤＤ）、半導体メモリ等の記憶装置により構成されるユニットである。この記憶部１６は、ＡＰ動作部１２のネットワーク接続情報、移動通信端末３０のネットワーク接続情報、タブレット端末２０に実行させる再構築アプリケーションプログラムが存在するインターネット上のＵＲＬ、および再構築前のネットワーク構成情報などを記憶する。
【００４１】
移動通信端末３０のネットワーク接続情報は、近接場型無線部１５によって取得され、ネットワーク再構築時にネットワーク構築部１７にて使用される。
再構築アプリケーションプログラムは、インターネットを通じてＷｅｂサーバから取得できるように用意されている。ＨＵ１０の近接場型無線部１５が、再構築アプリケーションプログラムのＵＲＬをタブレット端末２０へ送信することにより、タブレット端末２０がその場で再構築アプリケーションプログラムをダウンロードして実行できるようにする。
【００４２】
なお、記憶部１６に再構築アプリケーションプログラムを記憶させておき、タブレット端末２０がＨＵ１０の記憶部１６から直接再構築アプリケーションプログラムを取得する構成にしても構わない。
【００４３】
本発明では、再構築したネットワーク（例えば、図１（ｃ））を再構築前のネットワーク（例えば、図１（ａ））に戻すことも可能とする。そのために、ネットワーク再構築前にＨＵ１０と無線ＬＡＮ接続していた端末（不図示）のネットワーク接続情報を、再構築前のネットワーク構成情報として、記憶部１６が記憶している。再構築前のネットワーク構成情報は、例えば近接場型無線部１５によって取得され、ネットワークを元に戻すときにネットワーク構築部１７にて使用される。
【００４４】
ネットワーク構築部１７は、無線ＬＡＮの設定を変更するユニットである。無線ＬＡＮの設定変更が必要になるのは、図１（ａ）に示すネットワークを図１（ｃ）に示すネットワークに再構築する場合と、再構築前のネットワークに戻す場合である。
【００４５】
ネットワークを再構築する場合、ネットワーク構築部１７は、記憶部１６に記憶されている移動通信端末３０のネットワーク接続情報を使用して、ＳＴＡ動作部１３の無線ＬＡＮ設定を変更する。それにより、ＳＴＡ動作部１３が移動通信端末３０と無線ＬＡＮ接続する。
ＡＰ動作部１２とタブレット端末２０との無線ＬＡＮ接続は、タブレット端末２０が実行している再構築アプリケーションによって行われる。つまり、タブレット端末２０において再構築アプリケーションの働きにより無線ＬＡＮ設定が変更されると、タブレット端末２０とＨＵ１０のＡＰ動作部１２が無線ＬＡＮ接続する。
ネットワーク構築部１７は、ネットワーク再構築が完了すると、無線ＬＡＮを通じてタブレット端末２０に完了した旨を通知する。
【００４６】
再構築前のネットワークに戻す場合、ネットワーク構築部１７は、記憶部１６に記憶されているネットワーク構成の情報を使用する。ネットワーク構築部１７は、この情報に基づいて無線ＬＡＮの設定を変更することにより、再構築後にＨＵ１０と接続した端末との接続を切断し、再構築前にＨＵ１０と接続していた端末と接続する。
【００４７】
メディアプレイヤ１８は、ＤＶＤ、ＣＤ（Ｃｏｍｐａｃｔ  Ｄｉｓｃ）、ＨＤＤ、半導体メモリ等の記憶媒体からコンテンツデータを読み出して再生するためのユニットである。
制御部１１は、メディアプレイヤ１８が再生するコンテンツデータを、ＡＰ動作部１２の無線ＬＡＮ通信を通じてタブレット端末２０へ送信し、タブレット端末２０で再生できるようにする。
【００４８】
入力部１９は、ボタン等の入力デバイスにより構成されるユニットである。ユーザは、再構築したネットワークを元のネットワークに戻したい場合に、入力部１９のボタンを押下する等してネットワークを元に戻す指示を入力する。
制御部１１は、ネットワークを元に戻す指示が入力部１９に入力されると、ネットワーク構築部１７に対してネットワークを元に戻すよう指示する。
【００４９】
タブレット端末２０は、以下の特徴を持つ。
（１）タブレット端末２０は、ＨＵ１０の親機モードのネットワーク接続情報を、ＨＵ１０から受信する。
（２）タブレット端末２０は、以前に登録された移動通信端末３０のネットワーク接続情報を記憶する。
（３）タブレット端末２０は、以前に登録された移動通信端末３０のネットワーク接続情報を、ＨＵ１０に送信する。
【００５０】
制御部２１は、ＣＰＵ等により構成されるユニットであり、タブレット端末２０の各ユニットを制御する。
【００５１】
ＳＴＡ動作部２２は、親機との無線ＬＡＮ接続および通信時に、子機として動作する。ここでいう親機とは、ＨＵ１０のＡＰ動作部１２および移動通信端末３０である。
【００５２】
記憶部２３は、ＨＤＤ、半導体メモリ等の記憶装置により構成されるユニットである。この記憶部２３は、再構築アプリケーションプログラム、ネットワークを再構築する前に無線ＬＡＮ接続していた移動通信端末３０のネットワーク接続情報などを記憶する。
【００５３】
再構築アプリケーションプログラムは、ネットワークを再構築するためのアプリケーションのプログラムであり、ネットワーク再構築時にアプリ実行部２５にて使用される。
移動通信端末３０のネットワーク接続情報は、タブレット端末２０と移動通信端末３０とを無線ＬＡＮ接続するために、ＳＴＡ動作部２２にて使用されていた情報である。このネットワーク接続情報は、過去に、図１（ａ）のネットワークＢを構築するためにユーザが入力した情報であり、図１（ｃ）のネットワークＣを再構築するときにユーザが改めて入力する必要はない。
【００５４】
近接場型無線部２４は、ＨＵ１０に搭載されている近接場型無線部１５と同様の機能を持つユニットである。近接場型無線部２４の目的は、記憶部２３に記憶されている移動通信端末３０のネットワーク接続情報をＨＵ１０の近接場型無線部１５に送信し、ＨＵ１０のネットワーク接続情報を近接場型無線部１５から受信することである。
【００５５】
また、近接場型無線部２４は、記憶部２３に再構築アプリケーションプログラムが無い場合、ユーザがタブレット端末２０をＨＵ１０に近づけたことをトリガとして、ＨＵ１０の近接場型無線部１５から再構築アプリケーションプログラムが存在するインターネット上のＵＲＬを受信する。
制御部２１は、このＵＲＬに基づいて、ＳＴＡ動作部２２と移動通信端末３０の無線ＬＡＮ通信を通じて再構築アプリケーションプログラムをダウンロードし、記憶部２３に記憶する。
【００５６】
アプリ実行部２５は、再構築アプリケーションを実行するユニットである。例えば、制御部２１を構成しているＣＰＵが、再構築アプリケーションプログラムを実行することにより、アプリ実行部２５としての機能を実現する。
【００５７】
アプリ実行部２５は、再構築アプリケーションを実行することによって、以下のように動作する。
アプリ実行部２５は、再構築アプリケーション起動後、タブレット端末２０の近接場型無線部２４をＨＵ１０の近接場型無線部１５に近づけるよう、ユーザに促す。ユーザに促す方法はどのような方法であってもよく、例えば、アプリ実行部２５が表示部２７にメッセージ等を表示させたり、不図示のスピーカから音声を出力させたりすればよい。
ユーザがタブレット端末２０の近接場型無線部２４をＨＵ１０の近接場型無線部１５にかざしている間に、アプリ実行部２５が、記憶部２３に記憶されている移動通信端末３０のネットワーク接続情報を、近接場型無線部２４を経由してＨＵ１０へ送信すると共に、ＨＵ１０のネットワーク接続情報をＨＵ１０から受信する。
アプリ実行部２５は、受信したＨＵ１０のネットワーク接続情報を使用して、ＳＴＡ動作部２２の無線ＬＡＮ設定を変更する。それにより、ＳＴＡ動作部２２がＨＵ１０のＡＰ動作部１２と無線ＬＡＮ接続する。
【００５８】
さらに、再構築したネットワークを再構築前のネットワークに戻す場合、無線ＬＡＮ通信を通じて、ＨＵ１０から「ネットワークを元に戻す」という指示を受信した後、アプリ実行部２５は、記憶部２３に記憶されている再構築前に無線ＬＡＮ接続していた移動通信端末３０のネットワーク接続情報を使用して、ＳＴＡ動作部２２の無線ＬＡＮ設定を変更する。それにより、ＳＴＡ動作部２２が移動通信端末３０と無線ＬＡＮ接続する。
【００５９】
入力部２６は、タッチパネル等の入力デバイスにより構成されるユニットである。ユーザは、ネットワークを再構築したい場合に、入力部２６のタッチパネルを操作して再構築アプリケーションを起動させる。
制御部２１は、再構築アプリケーション起動の指示が入力部２６に入力されると、アプリ実行部２５に対して再構築アプリケーションを起動するよう指示する。
【００６０】
表示部２７は、ディスプレイにより構成されるユニットである。例えば、表示部２７のディスプレイと入力部２６のタッチパネルが一体に構成されていても構わない。
表示部２７は、アプリ実行部２５の実行画面として、例えば再構築ネットワークの接続先を表示したり、再構築完了を表示したりする。また、表示部２７は、制御部２１の制御により、ＨＵ１０から送信されたコンテンツデータを表示する。
【００６１】
次に、実施の形態１のＨＵ１０、タブレット端末２０、移動通信端末３０の動作を説明する。最初に、ネットワーク再構築時の動作を説明し、続いて、再構築したネットワークを元に戻す動作を説明する。
【００６２】
図５は、ネットワーク再構築時のＨＵ１０の動作を示すフローチャートである。
ここでは、タブレット端末２０に再構築アプリケーションプログラムがインストールされており、かつ、近接場型無線がＮＦＣである場合を例に説明する。
【００６３】
図１（ａ）に示すネットワークが構築されている状態で、図１（ｂ）に示すように、ユーザが、再構築アプリケーションを起動した状態のタブレット端末２０を、ＨＵ１０の近接場型無線部１５にかざす。ステップＳＴ１０１において、近接場型無線部１５は、ＮＦＣによる無線通信が可能な、つまり近接場型無線部１５にかざされているタブレット端末２０を検出する。
【００６４】
ステップＳＴ１０２において、近接場型無線部１５は、タブレット端末２０が近接場型無線部１５にかざされている間に、ＮＦＣによる無線通信を通じて、タブレット端末２０から移動通信端末３０のネットワーク接続情報を受信する。近接場型無線部１５は、受信した移動通信端末３０のネットワーク接続情報を、記憶部１６に記憶する。
【００６５】
ステップＳＴ１０３において、近接場型無線部１５は、タブレット端末２０が近接場型無線部１５にかざされている間に、ＮＦＣによる無線通信を通じて、タブレット端末２０へＨＵ１０のネットワーク接続情報を送信する。
このネットワーク接続情報に、無線ＬＡＮ管理部１４が決定したチャネル情報が含まれていてもよい。
【００６６】
タブレット端末２０が、受信したＨＵ１０のネットワーク接続情報を使用して無線ＬＡＮの設定を変更すると、移動通信端末３０との無線ＬＡＮ接続が切断される。そして、ステップＳＴ１０４において、ＨＵ１０のＡＰ動作部１２とタブレット端末２０との無線ＬＡＮ接続が開始される。
【００６７】
ステップＳＴ１０５において、ネットワーク構築部１７は、記憶部１６に記憶されている移動通信端末３０のネットワーク接続情報を使用して無線ＬＡＮの設定を変更し、移動通信端末３０との無線ＬＡＮ接続を開始する。
【００６８】
ネットワーク構築部１７は、図１（ｃ）に示すようなネットワークＣの再構築が完了すると（ステップＳＴ１０６“ＹＥＳ”）、ＡＰ動作部１２の無線ＬＡＮ通信を通じてタブレット端末２０へ、再構築完了という情報を送信して（ステップＳＴ１０７）、処理を終了する。
一方、ネットワークＣが再構築できなかった場合（ステップＳＴ１０６“ＮＯ”）、ネットワーク構築部１７は、ＡＰ動作部１２とタブレット端末２０が無線ＬＡＮ接続されていたらその無線ＬＡＮを通じてタブレット端末２０へ再構築失敗という情報を送信し（ステップＳＴ１０８）、ステップＳＴ１０１へ戻る。なお、ＡＰ動作部１２とタブレット端末２０の無線ＬＡＮ接続が失敗した場合には、ネットワーク構築部１７はステップＳＴ１０８をスキップして、ステップＳＴ１０１へ戻る。
【００６９】
図６は、ネットワーク再構築時のタブレット端末２０の動作を示すフローチャートである。
ここでも図５と同様、タブレット端末２０に再構築アプリケーションプログラムがインストールされており、かつ、近接場型無線がＮＦＣである場合を例に説明する。
【００７０】
図１（ａ）に示すネットワークが構築されている状態で、ユーザが、タブレット端末２０の入力部２６に再構築アプリケーション起動の指示を入力する。ステップＳＴ２０１において、ユーザの指示に従い、アプリ実行部２５が再構築アプリケーションを起動する。アプリ実行部２５は、起動するとまず、現在無線ＬＡＮ接続している移動通信端末３０のネットワーク接続情報を、記憶部２３に記憶する。
【００７１】
ステップＳＴ２０２において、アプリ実行部２５は、「再構築するネットワークの構成」と「ネットワーク再構築を許可するか」を表した画面を表示部２７に表示する。
アプリ実行部２５は、例えば、「移動通信端末←タブレット端末のネットワークを、移動通信端末←ＨＵ←タブレット端末のネットワークに再構築しますか」というメッセージを画面表示したり、「ネットワーク再構築を許可する場合、タブレット端末をＨＵにかざしてください」というメッセージを画面表示したりする。
【００７２】
ユーザが表示部２７の表示に従ってタブレット端末２０の近接場型無線部２４をＨＵ１０の近接場型無線部１５にかざすと、ステップＳＴ２０３において、近接場型無線部２４は、ＮＦＣによる無線通信が可能なＨＵ１０を検出する。
これにより、タブレット端末２０をＨＵ１０にかざす等のユーザにとって簡単な動作で、タブレット端末２０がＨＵ１０を検出できると共に、ユーザがネットワーク再構築を許可したことの意思確認ができる。
【００７３】
ステップＳＴ２０４において、アプリ実行部２５は、タブレット端末２０がＨＵ１０にかざされている間に、ＮＦＣによる無線通信を通じて、記憶部２３に記憶されている移動通信端末３０のネットワーク接続情報をＨＵ１０へ送信する。
【００７４】
ステップＳＴ２０５において、アプリ実行部２５は、タブレット端末２０がＨＵ１０にかざされている間に、ＮＦＣによる無線通信を通じて、ＨＵ１０のネットワーク接続情報をＨＵ１０から受信する。アプリ実行部２５は、受信したＨＵ１０のネットワーク接続情報を、記憶部２３に記憶する。
【００７５】
ステップＳＴ２０６において、アプリ実行部２５は、記憶部２３に記憶されているＨＵ１０のネットワーク接続情報を使用して無線ＬＡＮの設定を変更する。これにより、ＳＴＡ動作部２２は、移動通信端末３０との無線ＬＡＮ接続を切断して、ＨＵ１０との無線ＬＡＮ接続を開始する。
【００７６】
ステップＳＴ２０７において、アプリ実行部２５は、ＳＴＡ動作部２２の無線ＬＡＮ通信を通じて、ＨＵ１０からネットワーク再構築完了または再構築失敗の情報を受信する。再構築完了の情報は図５のステップＳＴ１０７、再構築失敗の情報は図５のステップＳＴ１０８においてＨＵ１０が送信したものである。
【００７７】
アプリ実行部２５は、再構築完了の情報を受信すると（ステップＳＴ２０８“ＹＥＳ”）、処理を終了する。
一方、再構築失敗の情報を受信した場合、または所定時間待ってもＨＵ１０からの応答がない場合（ステップＳＴ２０８“ＮＯ”）、アプリ実行部２５は、「ネットワークの再構築失敗」、「もう一度タブレット端末をＨＵにかざしてください」等を表示部２７に表示し（ステップＳＴ２０９）、ステップＳＴ２０３へ戻る。
【００７８】
なお、図６の例では、ユーザに対する各種の通知を表示により行ったが、音声等により行っても構わない。
【００７９】
図７は、ネットワーク再構築時の移動通信端末３０の動作を示すフローチャートである。
図１（ａ）に示すネットワークＡ，Ｂが構築されている状態で、図６のステップＳＴ２０６にてタブレット端末２０が無線ＬＡＮ設定を変更すると、タブレット端末２０と移動通信端末３０との無線ＬＡＮ接続が切断される（ステップＳＴ３０１）。
【００８０】
図５のステップＳＴ１０５にてＨＵ１０がＳＴＡ動作部１３の無線ＬＡＮ設定を変更すると、ＨＵ１０のＳＴＡ動作部１３と移動通信端末３０とが無線ＬＡＮ接続を開始する（ステップＳＴ３０２）。
【００８１】
図８は、再構築したネットワークを元に戻す時のＨＵ１０の動作を示すフローチャートである。
ネットワーク構築部１７は、再構築したネットワークを元に戻す条件を検出した場合（ステップＳＴ１１１“ＹＥＳ”）、ステップＳＴ１１２〜ＳＴ１１５の処理を行う。一方、ネットワーク構築部１７は、条件を検出しなかった場合（ステップＳＴ１１１“ＮＯ”）、処理を終了する。
【００８２】
ＨＵ１０において、再構築したネットワークを元に戻す条件は、以下の（１）〜（５）のうちの少なくとも１つとする。
【００８３】
（１）ＨＵ１０が、無線ＬＡＮ通信を通じて、ネットワークを元に戻す要求をタブレット端末２０から受信した場合。
ユーザが降車するとき等に、ネットワークを元に戻す許可をタブレット端末２０の入力部２６に入力する。許可の指示を受けたアプリ実行部２５は、ＳＴＡ動作部２２を通じてＨＵ１０へ、ネットワークを元に戻す要求を送信する。ＨＵ１０において、ＡＰ動作部１２がこの要求を受信すると、ネットワーク構築部１７へ通知する。
【００８４】
（２）ネットワークを再構築した状況で、ＨＵ１０の近接場型無線部１５がタブレット端末２０の近接場型無線部２４を検出した場合。
ユーザが、ネットワークを再構築した状況でタブレット端末２０をＨＵ１０の近接場型無線部１５に近づける動作をした場合、ＨＵ１０は、この動作をネットワークを元に戻す意思確認とみなす。つまり、ネットワークを再構築した状況で近接場型無線部１５がタブレット端末２０を検出すると、ネットワーク構築部１７へ通知する。
【００８５】
（３）ユーザが、ネットワークを元に戻す許可を、ＨＵ１０の入力部１９へ入力した場合。
上記（１）、（２）ではユーザがタブレット端末２０に対して元に戻す許可を入力したが、ＨＵ１０に対して入力しても構わない。（３）の場合、ユーザが、ネットワークを元に戻す許可をＨＵ１０の入力部１９に入力すると、許可の指示がネットワーク構築部１７へ通知される。
【００８６】
（４）ＡＰ動作部１２およびＳＴＡ動作部１３が受信する無線ＬＡＮの電波強度が低下した場合。
無線ＬＡＮ管理部１４は、ＡＰ動作部１２とタブレット端末２０の無線ＬＡＮの電波強度、およびＳＴＡ動作部１３と移動通信端末３０の無線ＬＡＮの電波強度を監視する。無線ＬＡＮ管理部１４は、監視中の電波強度が予め設定された閾値より低下した場合に、ネットワークを元に戻すようネットワーク構築部１７へ通知する。
【００８７】
（５）ＡＰ動作部１２およびＳＴＡ動作部１３の無線ＬＡＮの通信速度が低下した場合。
制御部１１は、ＡＰ動作部１２とタブレット端末２０との間で送受信されるデータ、およびＳＴＡ動作部１３と移動通信端末３０との間で送受信されるデータを制御する際に通信速度を監視する。制御部１１は、監視中の通信速度が予め設定された閾値より低下した場合に、無線ＬＡＮ接続が不安定であると判断し、ネットワークを元に戻すようネットワーク構築部１７へ通知する。
【００８８】
ネットワーク構築部１７は、上記（１）〜（５）のいずれかの条件を検出した場合（ステップＳＴ１１１“ＹＥＳ”）、ステップＳＴ１１２において、無線ＬＡＮ通信を通じてタブレット端末２０へ、再構築ネットワークを元に戻す指示を送信する。
【００８９】
タブレット端末２０は、再構築ネットワークを元に戻す指示をＨＵ１０から受信すると、記憶部２３に記憶されている再構築前に接続していた移動通信端末３０のネットワーク接続情報を使用して、無線ＬＡＮ設定を変更する。それにより、タブレット端末２０とＨＵ１０との無線ＬＡＮ接続（再構築ネットワーク）が切断される（ステップＳＴ１１３）。
【００９０】
ステップＳＴ１１４において、ネットワーク構築部１７は、ＳＴＡ動作部１３の無線ＬＡＮ設定を変更し、移動通信端末３０との無線ＬＡＮ接続を切断する。
【００９１】
ステップＳＴ１１５において、ネットワーク構築部１７は、ネットワーク再構築前に接続していた端末のネットワーク接続情報（つまり、再構築前のネットワーク構成情報）が記憶部１６に記憶されている場合、そのネットワーク接続情報を使用して無線ＬＡＮ設定を変更する。それにより、ＨＵ１０は、再構築前に接続していた端末との無線ＬＡＮ接続を開始する。
なお、ステップＳＴ１１５において、記憶部１６に再構築前のネットワーク構成情報が存在しない場合、ネットワーク構築部１７はそのまま処理を終了する。
【００９２】
これにより、図１（ｃ）に示すネットワークＣから、このネットワークＣを再構築する前の図１（ａ）のネットワークＡに戻る。
【００９３】
図９は、再構築したネットワークを元に戻す時のタブレット端末２０の動作を示すフローチャートである。
アプリ実行部２５は、再構築したネットワークを元に戻す条件を検出した場合（ステップＳＴ２１１“ＹＥＳ”）、ステップＳＴ２１２〜２１５の処理を行う。一方、アプリ実行部２５は、条件を検出しなかった場合（ステップＳＴ２１１“ＮＯ”）、処理を終了する。
【００９４】
タブレット端末２０において、再構築したネットワークを元に戻す条件は、以下の（１）である。
（１）ユーザが、ネットワークを元に戻す許可を、タブレット端末２０の入力部２６へ入力した場合。
これは、図８のステップＳＴ１１１の（１）に相当するため、詳細な説明を省略する。
【００９５】
アプリ実行部２５は、ネットワークを元に戻す許可の指示を入力部２６を通じてユーザから受け付けた場合（ステップＳＴ２１１“ＹＥＳ”）、ステップＳＴ２１２において、ＳＴＡ動作部２２の無線ＬＡＮ通信を通じてＨＵ１０へ、ネットワークを元に戻す要求を送信する。
【００９６】
ステップＳＴ２１３において、アプリ実行部２５は、ＳＴＡ動作部２２の無線ＬＡＮ通信を通じて、ＨＵ１０からネットワークを元に戻す指示を受信する。ネットワークを元に戻す指示は図８のステップＳＴ１１２においてＨＵ１０が送信したものである。
【００９７】
アプリ実行部２５は、ネットワークを元に戻す指示を受信すると、記憶部２３に記憶されているネットワーク再構築前に接続していた移動通信端末３０のネットワーク接続情報を使用して、ＳＴＡ動作部２２の無線ＬＡＮ設定を変更する。
それにより、タブレット端末２０とＨＵ１０との無線ＬＡＮ接続が切断される（ステップＳＴ２１４）。そして、タブレット端末２０と移動通信端末３０との無線ＬＡＮ接続が開始される（ステップＳＴ２１５）。
【００９８】
これにより、図１（ｃ）に示すネットワークＣから、このネットワークＣを再構築する前の図１（ａ）のネットワークＢに戻る。
【００９９】
図１０は、再構築したネットワークを元に戻す時の移動通信端末３０の動作を示すフローチャートである。
図１（ｃ）に示すネットワークＣが構築されている状態で、図８のステップＳＴ１１４にてＨＵ１０がＳＴＡ動作部１３の無線ＬＡＮ設定を変更すると、ＨＵ１０のＳＴＡ動作部１３と移動通信端末３０との無線ＬＡＮ接続が切断される（ステップＳＴ３１１）。
【０１００】
図９のステップＳＴ２１５にてタブレット端末２０が無線ＬＡＮ設定を変更すると、タブレット端末２０と移動通信端末３０とが無線ＬＡＮ接続を開始する（ステップＳＴ３１２）。
これにより、図１（ｃ）に示すネットワークＣから、このネットワークＣを再構築する前の図１（ａ）のネットワークＢに戻る。
【０１０１】
以上より、実施の形態１によれば、ＨＵ１０は、移動通信端末３０が提供するネットワークに参加しているタブレット端末２０から、ＨＵ１０が親機として提供するネットワークへの接続要求が通知された場合に、移動通信端末３０のネットワークへ参加するために必要なネットワーク接続情報をタブレット端末２０から取得する近接場型無線部１５と、近接場型無線部１５が取得したネットワーク接続情報を使用して、少なくともＨＵ１０とタブレット端末２０と移動通信端末３０とが参加するネットワークを再構築するネットワーク構築部１７とを備える構成にした。これにより、ネットワークを再構築する際のユーザの操作負担を減らして設定の煩わしさを低減することができる。
【０１０２】
また、実施の形態１によれば、再構築されたネットワークは、移動通信端末３０とタブレット端末２０との通信をＨＵ１０が中継する構成にした。移動通信端末３０は、接続する端末数が増えると電池の消費の増加および通信速度の低下が起きるが、ＨＵ１０を中継機にすることにより、移動通信端末３０の接続端末数を少なくすることができ、電池の消費の増加および通信速度の低下を抑制できる。
【０１０３】
また、実施の形態１によれば、ＨＵ１０は、再構築されたネットワークで使用する周波数帯域（チャネル）または通信タイミングを管理して電波干渉を抑制する無線ＬＡＮ管理部１４を備える構成にした。車内で使用されている無線通信機器のチャネル等の情報をＨＵ１０に集約することで、通信障害の原因となる電波干渉が起きないよう、適正なチャネルおよび時間を割り当てることができる。
【０１０４】
また、実施の形態１によれば、ＨＵ１０の近接場型無線部１５は、近接場型の無線通信により、タブレット端末２０からの接続要求とネットワーク接続情報とを受信する構成にした。これにより、ユーザのネットワーク再構築の意思を、ＨＵ１０にタブレット端末２０を近づけるという簡単な動作で確認できる。また同時に、再構築に必要なネットワーク接続情報の送受信をＨＵ１０とタブレット端末２０の間で行うことができるため、ユーザはネットワーク接続情報を覚えていなくてもよいし、各端末にネットワーク接続情報を入力する必要もない。
【０１０５】
また、実施の形態１によれば、タブレット端末２０は、ＨＵ１０のＡＰ動作部１２が提供するネットワークへの接続要求をＨＵ１０へ通知したことをトリガにして、再構築アプリケーションプログラムを外部から取得し、当該再構築アプリケーションプログラムに従ってアプリ実行部２５が動作することにより移動通信端末３０が提供するネットワークへ参加したときに使用したネットワーク接続情報をＨＵ１０へ通知する構成にした。これにより、タブレット端末２０に再構築アプリケーションがインストールされていなくても、車内で簡単に入手できる。
【０１０６】
また、実施の形態１によれば、タブレット端末２０は、移動通信端末３０が提供するネットワークへ参加したときに使用したネットワーク接続情報を記憶する記憶部２３を備え、再構築されたネットワークへの接続が切断された場合に、記憶部２３に記憶されているネットワーク接続情報を使用して移動通信端末３０が提供するネットワークに参加しなおす構成にした。これにより、再構築ネットワークから元のネットワークに切り替える際のユーザの操作負担を減らして設定の煩わしさを低減することができる。
【０１０７】
実施の形態２．
上記実施の形態１では、ＨＵ１０のＡＰ動作部１２に無線ＬＡＮ接続するタブレット端末２０が１台の場合を説明したが、実施の形態２では複数台のタブレット端末２０が無線ＬＡＮ接続する場合を説明する。
【０１０８】
図１１を用いて、実施の形態２に係る通信システムを用いたネットワーク構築例の概要を説明する。図１１（ａ）では、ＨＵ１０のネットワークＡが存在する車内に、移動通信端末３０とタブレット端末２０−１，２０−２が無線ＬＡＮ接続したネットワークＢが持ち込まれた状況を想定する。図１１（ｃ）は、再構築されたネットワークＣを示す。
【０１０９】
なお、実施の形態２のＨＵ１０の内部構成は図３と同様であり、タブレット端末２０−１，２０−２それぞれの内部構成は図４と同様であるため、図３および図４の符号を援用して説明する。また、全てのタブレット端末２０−１，２０−２が再構築アプリケーションプログラムをインストール済みであるものとする。
【０１１０】
以下、図５〜図１０のフローチャートのうち、実施の形態１とは動作が異なるステップを中心に説明する。
【０１１１】
図１１（ａ）の状況下において、タブレット端末２０−１，２０−２のいずれか一方がＨＵ１０との間で近接場型無線通信を行うことをきっかけにして（図５のステップＳＴ１０１）、ＨＵ１０のネットワーク構築部１７がネットワーク再構築を実施する（ステップＳＴ１０２〜ＳＴ１０８）。
図１１（ｂ）の例では、タブレット端末２０−１がＨＵ１０の近接場型無線部１５と近接場型無線通信を行う。タブレット端末２０−２は、ＨＵ１０との間で近接場型無線通信を行わない。
【０１１２】
ステップＳＴ１０２において、ネットワーク構築部１７は、移動通信端末３０のネットワーク接続情報を、近接場型無線通信を通じてタブレット端末２０−１から受信する。
ステップＳＴ１０３において、ネットワーク構築部１７は、ＨＵ１０のＡＰ動作部１２のネットワーク接続情報を、近接場型無線通信を通じてタブレット端末２０−１へ送信する。
【０１１３】
タブレット端末２０−１が、ＨＵ１０から受信したＨＵ１０のネットワーク接続情報を、無線ＬＡＮ通信を通じてタブレット端末２０−２へ送信し、タブレット端末２０−１，２０−２がそれぞれ無線ＬＡＮの接続設定を変更した場合、ステップＳＴ１０４において、ＡＰ動作部１２は、タブレット端末２０−１，２０−２と無線ＬＡＮ接続する。
ステップＳＴ１０７またはステップＳＴ１０８において、ネットワーク構築部１７は、無線ＬＡＮ通信を通じてタブレット端末２０−１，２０−２へ、再構築完または再構築失敗の情報を送信する。
【０１１４】
タブレット端末２０−１のアプリ実行部２５は、ＨＵ１０との間で近接場型無線通信を行うことをきっかけにして（図６のステップＳＴ２０３）、ネットワーク再構築を実施する（ステップＳＴ２０４〜ＳＴ２０９）。
【０１１５】
ステップＳＴ２０３において、タブレット端末２０−１のアプリ実行部２５は、移動通信端末３０との無線ＬＡＮ通信を通じて、他のタブレット端末２０−２へネットワーク再構築を実施する指示を送信する。
タブレット端末２０−２のアプリ実行部２５は、ステップＳＴ２０３をスキップする代わりに、タブレット端末２０−１からネットワーク再構築を実施する指示を受信すると、「再構築するネットワークの構成」と「ネットワーク再構築を許可するか」を表した画面を表示部２７に表示する。
【０１１６】
ユーザがタブレット端末２０−２に対して再構築を許可した場合は、ＨＵ１０とタブレット端末２０−１とタブレット端末２０−２と移動通信端末３０とで、図１１（ｃ）のネットワークＣを構築することになる。
ステップＳＴ２０５において、タブレット端末２０−１のアプリ実行部２５は、ＨＵ１０との近接場型の無線通信を通じて、ＨＵ１０のネットワーク接続情報を受信する。また、タブレット端末２０−１のアプリ実行部２５は、移動通信端末３０との無線ＬＡＮ通信を通じて、ネットワーク再構築が許可された他のタブレット端末２０−２へ、ＨＵ１０のネットワーク接続情報を送信する。
タブレット端末２０−２のアプリ実行部２５は、タブレット端末２０−１から受信したＨＵ１０のネットワーク接続情報を使用して、ＨＵ１０と無線ＬＡＮ接続する。
【０１１７】
ユーザがタブレット端末２０−２に対して再構築を拒否した場合、タブレット端末２０−２は、移動通信端末３０との無線ＬＡＮ接続を維持する。一方、タブレット端末２０−１は、ＨＵ１０を中継して移動通信端末３０と接続し直す。
この場合、タブレット端末２０−２は、ＨＵ１０が提供するサービスは受けず、移動通信端末３０が提供するサービスのみ受ける。
【０１１８】
次に、図１１（ｃ）に示すネットワークＣから、図１１（ａ）に示すネットワークＡ，Ｂに戻す場合を説明する。
図８のステップＳＴ１１２において、ＨＵ１０のネットワーク構築部１７は、無線ＬＡＮ通信を通じて全てのタブレット端末２０−１，２０−２へ、再構築ネットワークを元に戻す指示を送信する。
タブレット端末２０−１，２０−２は、図９のステップＳＴ２１１において自端末で再構築したネットワークを元に戻す条件を検出した場合（ステップＳＴ２１１“ＹＥＳ”）はもちろん、検出しなかった場合（ステップＳＴ２１１“ＮＯ”）であっても、ＨＵ１０からネットワークを元に戻す指示を受信した場合（ステップＳＴ２１３の処理に相当する）にはステップＳＴ２１４，ＳＴ２１５の処理を実施する。
【０１１９】
なお、上記説明では、子機端末であるタブレット端末２０が２台の場合を例に説明したが、３台以上あっても構わない。
【０１２０】
以上より、実施の形態２によれば、ＨＵ１０のネットワーク構築部１７は、移動通信端末３０が提供するネットワークに複数台のタブレット端末２０が参加している場合に、複数台のタブレット端末２０のうちの１台から取得したネットワーク接続情報を使用して、ＨＵ１０と移動通信端末３０と複数台のタブレット端末２０とが参加するネットワークを再構築する構成にした。これにより、複数台のタブレット端末２０が参加するネットワークの再構築をまとめて行うことができ、ユーザの操作負担を減らして設定の煩わしさを低減することができる。また、ＨＵ１０のＡＰ動作部１２に複数台のタブレット端末２０を接続することにより、１台のタブレット端末２０が保有するコンテンツデータを残りのタブレット端末２０の間で共有することができる。
【０１２１】
なお、本発明はその発明の範囲内において、各実施の形態の自由な組み合わせ、各実施の形態の任意の構成要素の変形、または各実施の形態の任意の構成要素の省略が可能である。
【産業上の利用可能性】
【０１２２】
この発明に係る通信装置は、子機端末から接続要求が通知された場合に、子機端末からネットワーク接続情報を取得して無線ネットワークを再構築するようにしたので、無線ネットワークを通じて子機端末へサービスを提供するヘッドユニットなどの車載装置に用いるのに適している。
【符号の説明】
【０１２３】
１０  ＨＵ（通信装置）、１１  制御部、１２  ＡＰ動作部、１３  ＳＴＡ動作部、１４  無線ＬＡＮ管理部（無線ネットワーク管理部）、１５  近接場型無線部（情報取得部）、１６  記憶部、１７  ネットワーク構築部、１８  メディアプレイヤ、１９  入力部、２０，２０−１，２０−２  タブレット端末（子機端末）、２１  制御部、２２  ＳＴＡ動作部、２３  記憶部、２４  近接場型無線部、２５  アプリ実行部、２６  入力部、２７  表示部、３０  移動通信端末（親機端末）、Ａ〜Ｄ  ネットワーク。
【図１】
0006045764.tif 000002
【図２】
0006045764.tif 000003
【図３】
0006045764.tif 000004
【図４】
0006045764.tif 000005
【図５】
0006045764.tif 000006
【図６】
0006045764.tif 000007
【図７】
0006045764.tif 000008
【図８】
0006045764.tif 000009
【図９】
0006045764.tif 000010
【図１０】
0006045764.tif 000011
【図１１】
0006045764.tif 000012